(57)【要約】【課題】主ポケットの内部に備えられた携帯電話用の従ポケットを外側に出すことができ、外側に出したときに、主ポケット及び従ポケットから物が飛び出すのを防ぐことができる衣服のポケット構造を提供する。【解決手段】主ポケット袋ｎｐの内部に、携帯電話を収納可能な従ポケット袋ｐｐを設けた衣服のポケット構造が開示される。主ポケット袋ｎｐの開口ｏｐの上端に片玉縁５が縫い付けられている。従ポケット袋ｐｐは、前面袋布１０及び後面袋布１１が重ねられた上側に開口ｍｏを有する袋状であり、後面袋布１１は前面袋布１０の上端より上方に延びており、後面袋布１１の上端が開口ｏｐの上端に縫い付けられ、前面袋布１０の上端を片玉縁５の下端より上に位置するように開口ｍｏが配置されている。【選択図】  図２
0003231567.tif 000002
【実用新案登録請求の範囲】
【請求項１】
主ポケット袋の内部に、携帯電話を収納可能な従ポケット袋を設けた衣服のポケット構造であって、
前記主ポケット袋の第１開口の上端に片玉縁が縫い付けられ、
前記従ポケット袋は前面袋布及び後面袋布が重ねられた上側に第２開口を有する袋状であり、前記後面袋布は前面袋布の上端より上方に延びており、前記後面袋布の上端が前記第１開口の上端に縫い付けられ、前記前面袋布の上端を前記片玉縁の下端より上に位置するように従ポケット袋の第２開口が配置されていることを特徴とする衣服のポケット構造。
【請求項２】
請求項１の衣服のポケット構造において、前記後面袋布を防水性布地であることを特徴とする衣服のポケット構造。
【考案の詳細な説明】
【技術分野】
【０００１】
本考案は、携帯電話用ポケットを有する衣服のポケット構造に関するものである。
【背景技術】
【０００２】
ポケットの中に携帯電話を収納する衣服として、例えば特許文献１にはポケットの中に携帯電話を収容できるもう一つの携帯電話用ポケットが備えられ、その携帯電話用ポケットは出し入れできる構造となっている衣服が開示されている。また、特許文献２には、携帯電話用ポケットは防水性の素材によって構成されている衣服が開示されている。
【先行技術文献】
【特許文献】
【０００３】
【特許文献１】登録実用新案第３０２５２１０号公報
【特許文献２】登録実用新案第３１９２０３０号公報
【考案の概要】
【考案が解決しようとする課題】
【０００４】
しかし、特許文献１に示された携帯電話用ポケットは、上方が開放されており、物が飛び出して落としてしまうことがある。飛び出しを防止するため、フラップを設けることも考えられるが、フラップが嵩張り、見栄えが良くない。
そこで、本考案は、主ポケットの内部に備えられた携帯電話用の従ポケットを外側に出すことができ、従ポケットを外側に出したときに、従ポケットの中から物が飛び出すのを防ぎ、外観がよい衣服のポケット構造を提供することを目的とする。
【課題を解決するための手段】
【０００５】
上記目的を達成するために、本考案の衣服のポケット構造は、主ポケット袋の内部に、携帯電話を収納可能な従ポケット袋を設けた衣服のポケット構造であって、
前記主ポケット袋の第１開口の上端に片玉縁が縫い付けられ、
前記従ポケット袋は前面袋布及び後面袋布が重ねられた上側に第２開口を有する袋状であり、前記後面袋布は前面袋布の上端より上方に延びており、前記後面袋布の上端が前記第１開口の上端に縫い付けられ、前記前面袋布の上端を前記片玉縁の下端より上に位置するように従ポケット袋の第２開口が配置されていることを特徴とする。
【考案の効果】
【０００６】
この考案によれば、従ポケット袋を出した状態でも、従ポケット袋の開口が片玉縁により塞がれて、従ポケット袋内部に収納した物が飛び出すのを防止できる。従ポケット袋のフラップを特に用意することなく、嵩張らず見栄えが良い。後面袋布を防水性布地にすることにより、汗の侵入を減らし腐食等による携帯電話の破損リスクを軽減させることができる。
【図面の簡単な説明】
【０００７】
【図１】本考案に係る衣服のポケット構造の実施例を示すズボンのポケットで、図１Ａは正面図、図１Ｂは背面図である。
【図２】ズボンのポケットの説明図で、図２Ａは表側の説明図、図２Ｂは図２Ａの片玉縁布をめくった状態の説明図、図２Ｃはズボン裏側からポケットを見た図、図２Ｄは主ポケット袋のみの図、図２Ｅは従ポケット袋のみの図である。
【図３】ズボンのポケットの断面図で、図３Ａは図２ＡのＸ−Ｘ線拡大断面図、図３Ｂは図３ＣのＹ−Ｙ線拡大断面図、図３Ｃは携帯電話用ポケットを表に出した状態の一部破断説明図である。
【考案を実施するための形態】
【０００８】
以下、本考案に係る衣服のポケット構造として、ズボンのポケットに適用した例を示す。
図１ではズボン１の前身頃２と後身頃３の縫合線を含む大腿部の外側にポケット４が配置された状態を示しており、図１Ａは正面図、図１Ｂは背面図である。ポケット４は前身頃２と後身頃３を縫合した生地に切り込みを入れて設けられた開口ｏｐを有しており、開口ｏｐの上端にある縫線１２の位置に片玉縁５が縫い付けられている。
【０００９】
図２はズボンのポケット４の説明図で、図２Ａは表側の説明図、図２Ｂは図２Ａの片玉縁５をめくった状態の説明図、図２Ｃはズボン裏側からポケット４を見た図、図２Ｄは主ポケット袋のみの図、図２Ｅは従ポケット袋ｐｐのみの図である。
【００１０】
ポケット４の開口ｏｐは前身頃２と後身頃３を縫合した生地に跨がって設けられ、前身頃２と後身頃３の裏側にポケット４の主たる収容域である主ポケット袋ｎｐを設けている。主ポケット袋ｎｐは、前面袋布６と後面袋布７とを一周にわたって縫合して構成されており、前面袋布６側に開口ｍｏ（請求項の「第１開口」）を設けて、ポケット４の開口ｏｐに合わせて縫合されている。図示例においては、前面袋布６側の開口ｍｏを開閉するファスナー８が設けられている。
【００１１】
図３はズボンのポケット４の断面図で、図３Ａは図２ＡのＸ−Ｘ線拡大断面図、図３Ｂは図３ＣのＹ−Ｙ線拡大断面図である。主ポケット袋ｎｐの内部には、携帯電話を収容する従ポケット袋ｐｐが設けられている。従ポケット袋ｐｐは、前面袋布１０と後面袋布１１を重ねてその上側に開口ｓｏ（請求項の「第２開口」）を有する袋状である。
【００１２】
後面袋布１１は前面袋布１０の上端より上方に延びており、後面袋布１１の上端がポケット４上端の縫線１２の位置で縫い付けられ、吊り下げ状態となっている。縫線１２の位置では前身頃２、片玉縁５、前面袋布６、ファスナー８、後面袋布１１の順に配置されている。このような構造をとることにより、従ポケット袋ｐｐは、主ポケット袋ｎｐからポケット４の開口ｏｐの外側に取り出すことが可能である。
【００１３】
前面袋布１０の上端１０ａは、片玉縁５の下端５ａより上に位置するように従ポケット袋ｐｐの開口ｍｏが配置されている。従ポケット袋ｐｐを出した状態においては、従ポケット袋ｐｐの開口ｍｏが片玉縁５により塞がれる（図３Ｂ、３Ｃ）。このため、従ポケット袋ｐｐに収納した物が飛び出すのを防止できる。
【００１４】
従ポケット袋ｐｐの身体側である後面袋布１１を防水性布地にしておけば、汗の侵入を減らし腐食等による携帯電話の破損リスクを軽減させることができる。
【符号の説明】
【００１５】
１    ズボン
２    前身頃
３    後身頃
４    ポケット
５    片玉縁
８    ファスナー
６、１０  前面袋布
７、１１  後面袋布
【図１】
0003231567.tif 000003
【図２】
0003231567.tif 000004
【図３】
0003231567.tif 000005